(57)【要約】【課題】廃棄の際によりコンパクトにできる医療用トレイを提供する。【解決手段】医療用トレイ１０は、底部１１と、底部の外周に沿って設けられる側壁１２と、側壁が底部に向かって凸状に変形するのを案内する、側壁の対向する位置に設けられた一対の側壁変形案内部２０と、を有する。【選択図】図１
2011108297.tif 000002
【特許請求の範囲】
【請求項１】
底部と、
当該底部の外周に沿って設けられる側壁と、
当該側壁の対向する位置に設けられ、前記側壁が前記底部に向かって凸状に変形するのを案内する一対の側壁変形案内部と、を有する、医療用トレイ。
【請求項２】
前記側壁変形案内部は、前記底部の幅が内側に窪んで形成されたくびれ部、前記側壁の上端から前記底部に向かって延び前記側壁の内側に窪んで形成された側壁溝部、前記側壁の上端が前記底部に向かって窪んで形成された側壁上端凹部若しくは前記側壁の上端が前記底部に向かって段状に形成された側壁上端段差部、及び前記側壁の上端に形成されたフランジが前記側壁の内側に窪んで形成されたフランジ溝部のうちの少なくとも１つを含む、請求項１に記載の医療用トレイ。
【請求項３】
前記一対の側壁変形案内部の間の前記底部に設けられ、前記底部の折り畳みを案内する折り畳み案内部をさらに有する、請求項１又は２に記載の医療用トレイ。
【請求項４】
前記折り畳み案内部は、前記底部における前記一対の側壁変形案内部の間に形成されたリブ若しくは切れ込み、及び前記底部の縁が面方向に窪んで形成された底縁凹部若しくは前記底部の縁が面方向に段状に形成された底縁段差部のうちの少なくとも１つを含む、請求項３に記載の医療用トレイ。
【請求項５】
前記底部が折り畳まれる際、前記側壁のうちの対向する対面部のうちの一方が他方の内側に入れ込まれる、請求項１〜４のいずれか１つに記載の医療用トレイ。
【請求項６】
前記一対の側壁変形案内部を結ぶラインで分けられる前記底部の一端側の大きさは、他端側の内側に収まる大きさである、請求項５に記載の医療用トレイ。
【請求項７】
前記一対の側壁変形案内部を結ぶラインで分けられる前記底部の一端側は、他端側よりも角が丸みを帯びている、請求項５又は６に記載の医療用トレイ。
【請求項８】
前記底部の折り畳みを維持する折り畳み維持部をさらに有する、請求項１〜７のうちのいずれか１つに記載の医療用トレイ。
【発明の詳細な説明】
【技術分野】
【０００１】
本発明は、医療用トレイに関する。
【背景技術】
【０００２】
カテーテル類を用いる診断、検査及び治療では、必要なカテーテルやガイドワイヤ等の医療器具や薬剤等が医療用トレイにセットされ、施術に当って医療用トレイ内から取り出されて用いられる。そして施術の後、不要になった医療用トレイはゴミ箱に捨てられる。【０００３】
医療現場で用いられるゴミ箱の容積は、焼却設備の投入口の形状に対応してある程度決まっており、また、廃棄処分にかかる費用はゴミ箱単位で決められていることが多いため、医療用トレイをできるだけコンパクトにしてより多くの医療用トレイがゴミ箱に入れられることが望ましい。例えば特許文献１に記載の医療用トレイは、側壁を底面に重ね合わせるように折り畳むことによって廃棄の際にコンパクトにできる。
【先行技術文献】
【特許文献】
【０００４】
【特許文献１】特開２００７−７５５１１号公報
【発明の概要】
【０００５】
しかし、一般的に医療用トレイでは底部が側壁に比べて広く、医療用トレイ全体に占める底部の面積割合が大きいため、特許文献１に記載の医療用トレイのように側壁を折り畳んだだけでは、ゴミ箱内で医療用トレイが嵩張り易い。
【０００６】
本発明はこのような課題に鑑みてなされたものであり、廃棄の際によりコンパクトにできる医療用トレイを提供することを目的とする。
【０００７】
上記目的を達成するための本発明の医療用トレイは、底部と、当該底部の外周に沿って設けられる側壁と、当該側壁の対向する位置に設けられ、前記側壁が前記底部に向かって凸状に変形するのを案内する一対の側壁変形案内部と、を有する。
【０００８】
上記のように構成した本発明の医療用トレイは、側壁変形案内部を有するため側壁が底部に向かって凸形状に変形し、底部を折り畳む際、力が底部に局所的に加わり易く、底部が容易に折り畳まれて医療用トレイをよりコンパクトにできる。
【０００９】
また、前記側壁変形案内部は、前記底部の幅が内側に窪んで形成されたくびれ部、前記側壁の上端から前記底部に向かって延び前記側壁の内側に窪んで形成された側壁溝部、前記側壁の上端が前記底部に向かって窪んで形成された側壁上端凹部若しくは前記側壁の上端が前記底部に向かって段状に形成された側壁上端段差部、及び前記側壁の上端に形成されたフランジが前記側壁の内側に窪んで形成されるフランジ溝部のうちの少なくとも１つを含むようにすれば、側壁が局所的に屈曲し、側壁を変形させ易い。
【００１０】
また、前記一対の側壁変形案内部の間の前記底部に設けられ、前記底部の折り畳みを案内する折り畳み案内部をさらに有するようにすれば、前記一対の側壁変形案内部を結ぶライン又はその近傍で底部が折り曲げられ、所望の方向に底部を折り畳み易い。
【００１１】
また、前記折り畳み案内部は、前記底部における前記一対の側壁変形案内部の間に形成されたリブ若しくは切れ込み、及び前記底部の縁が面方向に窪んで形成された底縁凹部若しくは前記底部の縁が面方向に段状に形成された底縁段差部のうちの少なくとも１つを含むようにすれば、前記一対の側壁変形案内部を結ぶライン若しくはその近傍からずれた箇所での曲げが規制されるため、又は前記ライン若しくはその近傍で底部が脆弱になるため、前記一対の側壁変形案内部を結ぶライン又はその近傍で底部が折り曲げられ、所望の方向に底部を折り畳み易い。
【００１２】
前記底部が折り畳まれる際、前記側壁のうちの対向する対面部のうちの一方が他方の内側に入れ込まれるようにすれば、折り畳まれて２分された医療用トレイの一方が他方に納まり、医療用トレイがよりコンパクトになる。
【００１３】
前記一対の側壁変形案内部を結ぶラインで分けられる前記底部の一端側の大きさが、他端側の内側に収まる大きさであるようにすれば、医療用トレイを折り畳んだ際、折り畳まれて２分された医療用トレイの一端側が他端側に納まり、医療用トレイがよりコンパクトになる。
【００１４】
前記一対の側壁変形案内部を結ぶラインで分けられる前記底部の一端側は、他端側よりも角が丸みを帯びているようにすれば、医療用トレイの一端側が他端側に更に納まり易くなる。
【００１５】
前記底部の折り畳みを維持する折り畳み維持部をさらに有するようにすれば、折り畳んだ医療用トレイが元の状態に広がり難く、コンパクトな状態を維持できる。
【図面の簡単な説明】
【００１６】
【図１】実施形態に係る医療用トレイを示す斜視図である。
【図２】実施形態に係る医療用トレイに医療器具等を配置した例を示す斜視図である。
【図３】実施形態に係る医療用トレイから医療器具等を取り出す際の例を示す斜視図である。
【図４】実施形態に係る医療用トレイを示す平面図である。
【図５】実施形態に係る医療用トレイを示す側面図である。
【図６】図４の６−６線に沿う断面を部分的に拡大して示す部分拡大断面図である。
【図７】実施形態に係る医療用トレイを折り畳む際を示す斜視図である。
【図８Ａ】実施形態に係る医療用トレイを折り畳む際に側壁を底部に向かって押し倒した状態を模式的に示す断面図である。
【図８Ｂ】実施形態に係る医療用トレイを折り畳む際に底部を折り曲げた状態を模式的に示す断面図である。
【図８Ｃ】実施形態に係る医療用トレイを折り畳む際に側壁における対向する対面部のうちの一方を他方の内側に入れ込んだ状態を模式的に示す断面図である。
【図９Ａ】医療用トレイが折り畳まれた後、医療用トレイの底部に仮止めされたテープの一端が底部から剥がされた状態を示す断面図である。
【図９Ｂ】折り畳まれた状態がテープによって維持された医療用トレイの断面図である。
【図１０】実施形態に係る医療用トレイを折り畳んだ後を示す斜視図である。
【図１１】実施形態に係る医療用トレイの底部の他の例を示す平面図である。
【図１２】実施形態に係る医療用トレイの底部のさらに他の例を示す平面図である。
【図１３】実施形態に係る医療用トレイの変形例を示す側面図である。
【発明を実施するための形態】
【００１７】
以下、図面を参照して本発明の実施形態を説明する。なお、図面の寸法比率は、説明の都合上、誇張されて実際の比率とは異なる場合がある。
【００１８】
図１に示すように、本実施形態に係る医療用トレイ１０は、底部１１と、底部１１の外周に沿って設けられる側壁１２と、側壁１２の上端に形成されたフランジ１４と、を有する。また、医療用トレイ１０は、側壁１２の対向する位置に設けられた一対の側壁変形案内部２０と、一対の側壁変形案内部２０の間の底部１１に設けられ、底部１１の折り畳みを案内するリブ３０（折り畳み案内部）と、を有する。
【００１９】
医療用トレイ１０は、薄肉の樹脂製であり、例えば、ポリエチレン、ポリプロピレン、ポリスチレン、ポリ塩化ビニル等の熱可塑性樹脂シートから真空成形等によって形成される。底部１１、側壁１２、フランジ１４、側壁変形案内部２０、及びリブ３０は一体的に形成される。
【００２０】
医療用トレイ１０は、底部１１と、側壁１２とによって形成する収納空間Ｓを備え、収納空間Ｓは、診断、検査及び治療の際、カテーテル等の医療器具や薬剤等を入れておくために用いられる。また、医療用トレイ１０は、医療器具や薬剤等を包装するための包装トレイとしても用いることができ、必要な医療器具や薬剤等が予め医療用トレイ１０に収納され、医療用トレイ１０ごと包装袋に入れられ滅菌されてパッケージされる。
【００２１】
そして、図２及び図３に示すように、診断、検査及び治療の施術に際して包装袋が開封されることによって医療用トレイ１０に医療器具や薬剤等がセットされた状態になる。医療器具は、カテーテル６３、及びドレープ６１の他、例えば、脱脂綿類、シリンジ、ガイドワイヤ、シース、ダイレータ、はさみ類、ピンセット等である。ドレープ６１は、医療用トレイ１０の上に載せられ、フランジ１４に形成された突起部１５によって位置決めされる。
【００２２】
施術にあたり医療用トレイ１０から医療器具が取り出され、また、施術中、医療器具が一時保管のために医療用トレイ１０に入れられる。そして施術の後、不要となった医療器具は医療用トレイ１０に入れられて医療用トレイ１０とともに捨てられる。
【００２３】
図４に示すように、底部１１には、両端側に比べて、略中央付近（ラインＬ付近）の幅が狭く形成されたくびれ部（幅狭部）１７が設けられている。底部１１は、くびれ部１７を有することにより、側壁１２の略中央付近に設けられた側壁溝部２１等に向かって縁が緩やかに窪んだ形状になっている。また、底部１１の形状は、全体としては略長方形になっており、くびれ部１７は、長辺側に設けられている。側壁変形案内部２０は、底部１１の長辺の中央から少しだけずれた位置にあり、一対の側壁変形案内部２０を結ぶラインＬで２分される底部１１の一端側は、他端側の内側に収まる大きさであり、かつ、他端側よりも角が丸みを帯びている。
【００２４】
側壁１２は、底部１１にくびれ部１７が設けられていることにより、ラインＬ付近では対向する側壁１２の間隔が両端側に比べて近づいている。
【００２５】
リブ３０は、医療用トレイ１０内側（収納空間Ｓ側）に突出して稜状に延びており、底部１１に立体的に形成されたラインであり、ラインＬ上に形成される。底部１１には、リブ３０の他、収納される医療器具の配置を規制したり、または強度を付与したりするため、医療用トレイ１０内側（収納空間Ｓ側）に突出して稜状に延び、底部１１に立体的に形成された稜状部５０が形成されている。本実施形態では、医療用トレイ１０が、リブ３０と交わる方向に形成された稜状部５０を有するが、このようにリブ３０と交わる場合、底部１１の折り畳みを阻害しないように、稜状部５０は好ましくはリブ３０を挟んで両側に分割して形成される。また底部１１には、底部１１を折り畳んだ後に折り畳みを維持するための長尺状のテープ４０（折り畳み維持部）が配置されている。
【００２６】
図４及び図５に示すように、側壁変形案内部２０は、底部１１の幅が内側に窪んで形成されたくびれ部１７（図４参照）、フランジ１４が側壁１２の内側に窪んで形成されたフランジ溝部２２（図４参照）、側壁１２の上端から底部１１に向かって延び側壁１２の内側に窪んで形成された側壁溝部２１（図５参照）、及び側壁１２の上端が底部１１に向かって窪んで形成された側壁上端凹部２３（図５参照）から構成される。
【００２７】
図６に示すように、テープ（折り畳み維持部）４０は、その両端に設けられた接着層４３、４４によって底部１１に接着されている。テープ４０の一端は、底部１１から外れないように接着層４３によって固定されており、テープ４０他端は、底部１１から外せるように接着層４４によって仮止めされている。また、テープ４０は、接着層４４が配置された面と反対側の面に設けられた接着層４１を有する。接着層４１は、接着を防ぐシート４２によって覆われている。
【００２８】
次に図７及び図８において医療用トレイ１０の折り畳み方法について述べる。
【００２９】
概説すると、折り畳みを実施する作業者は、まず、側壁変形案内部２０又はその近傍を押して側壁１２を底部１１に向かって押し倒し、その後、底部１１を折って、医療用トレイ１０を略半分に折り畳む。
【００３０】
図７に示すように例えば使用後のカテーテル６３等の医療器具とともに医療用トレイ１０を捨てるとき、押し倒した側壁１２及び底部１１によってカテーテル６３を挟んで押えることによって、底部１１を折り畳む際に、カテーテル６３が弾性力によって跳ね出すのを防止できる。
【００３１】
図８（Ａ）示すように、押し潰された側壁１２は側壁変形案内部２０又はその近傍で底部１１に向かって凸形状に変形する。そして、図８（Ｂ）に示すようにリブ３０又はその近傍、すなわちラインＬ又はその近傍で底部１１が折り畳まれ、図８（Ｃ）に示すように、側壁１２のうちの対向する対面部のうちの一方１５が他方１６の内側に入れ込まれる。
【００３２】
次に、図９（Ａ）に示すように作業者は底部１１に仮止めされたテープ４０の一端を底部１１から剥がすとともに、シート４２を剥がす。その後図９（Ｂ）に示すように折り畳まれて２分された底部１１の一方に接着層４１によってテープ４０の一端を接着し、底部１１の折り畳みを維持する。
【００３３】
その後、図１０に示すように折り畳まれた状態で医療用トレイ１０はゴミ箱に捨てられる。医療用トレイ１０の各種寸法は適宜設定できるが、図１０のように折り畳まれた医療用トレイ１０がそのままゴミ箱に入れられる大きさであることが好ましく、医療現場で用いられるゴミ箱の開口部は略矩形形状であることが多いため、折り畳んだ後の底部１１の長手方向の寸法Ｓ１及び短手方向の寸法Ｓ２は、ゴミ箱の開口部の長手方向及び短手方向の寸法より小さい。
【００３４】
本実施形態の効果を述べる。
【００３５】
上記従来の医療用トレイでは、本実施形態と異なり側壁の面が底面に重ね合わせるように折り畳まれるので、側壁が、底部に向かって凸状に変形するのではなく、底部から反れるように底部の面と略平行な方向に変形し、側壁と底部とが面と面で合わさる。
【００３６】
一方、本実施形態は、側壁変形案内部２０を有するため、側壁１２が底部１１に向かって凸形状に変形し、底部１１を折り畳む際、ラインＬ又はその近傍に局所的に力が加わり易く、底部１１が容易に折り畳まれて医療用トレイ１０をよりコンパクトにできる。
【００３７】
また、本実施形態では、側壁変形案内部２０が、くびれ部１７、フランジ溝部２２、側壁溝部２１、及び側壁上端凹部２３から構成されるため、側壁１２が局所的に屈曲し、側壁１２を変形させ易い。
【００３８】
また、医療用トレイ１０では、側壁変形案内部２０がフランジ溝部２２を含むため、フランジ１４による医療用トレイ１０の補強と折り畳みの容易さという、相反する機能の両立を図り得る。
【００３９】
また、上記従来の医療用トレイでは、不要となった脱脂綿等の廃棄物を、側壁を折り畳むことによって覆い隠すため、側壁を高くしなければならず、医療用トレイが深くなり、医療器具の取り出し等、使用性が低下する虞がある。
【００４０】
一方、本実施形態では、底部１１を折り畳むことによって廃棄物を覆うため、従来技術のような構造上の制約を受けず、側壁高さを自由に設定でき、使用性に優れた医療用トレイ１０の実現を図り得る。
【００４１】
また、医療用トレイ１０では、リブ３０が、ラインＬ又はその近傍からずれた箇所での曲げを規制するため、底部１１がラインＬ又はその近傍で折り曲げられ、所望の方向に折り畳み易い。
【００４２】
また、医療用トレイ１０では、ラインＬで２分される底部１１の一方の大きさが他方の内側に収まる大きさで、また、底部１１が折り畳まれる際、側壁１２のうちの対向する対面部のうちの一方１５が他方１６の内側に入れ込まれるため、折り畳まれて２分された医療用トレイ１０の一方が他方に納まり、医療用トレイ１０がよりコンパクトになる。
【００４３】
また、テープ４０が折り畳みを維持して医療用トレイ１０が元の状態に広がり難く、コンパクトな状態を維持できる。
【００４４】
本発明は、上述した実施形態に限定されるものではなく、特許請求の範囲の範囲内で種々改変できる。
【００４５】
例えば、折り畳み案内部は、リブ３０に限定されず、ラインＬ上に形成され、曲げ剛性を低下させるものでもよく、一方面のみが凹状に窪むように形成された切れ込み（立体的に形成されたライン）でもよいし、図１１、１２に示すように、底部１１の縁が面方向に窪んで形成される底縁凹部３１、又は底部１１の縁が面方向に段状に形成される底縁段差部３２であってもよい。また、折り畳み案内部は、リブ３０及び切れ込みのうちの一方と、底縁凹部３１及び底縁段差部３２のうちの一方とを組み合わせたものから構成されてもよい。
【００４６】
また、折り畳み案内部は、上記実施形態のリブ３０のような直線的なものに限定されず、曲がった箇所が含まれてもよい。すなわち、ラインＬは、一対の側壁変形案内部を結ぶもので、直線的なものだけでなく曲がった箇所を有するものであってもよい。
【００４７】
また、上記実施形態では、側壁変形案内部が、くびれ部１７、フランジ溝部２２、側壁溝部２１、及び側壁上端凹部２３から構成されたが、これに限定されず、これらのうちのいずれか１つから構成されるもの、又はこれらのうちのいずれか２つから構成されるものであってもよい。
【００４８】
また、くびれ部１７は、底部１１の幅が一端側から略中央付近に向かって内側に狭まり、略中央付近から他端側に向かって外側に広がっている形状となっているが、底部１１の幅が一端側から略中央付近に向かって内側に狭まり、略中央付近から他端側に向かって底部１１の幅が変化しない形状であってもよい。
【００４９】
また、側壁変形案内部は、側壁上端凹部２３の代わりに、例えば図１３で示されるような、側壁１１２の上端が底部１１１に向かって段状に形成される側壁上端段差部２２３を含んでもよい。
【００５０】
また、側壁１２、１１２には、底部１１、１１２の近傍に収納空間Ｓから外側へ張り出させてアンダーカット部が形成されていてもよい。側壁１２、１１２にアンダーカット部を設けることにより、カテーテル６３やガイドワイヤ等の長尺で弾性力のある医療器具を収納空間Ｓに巻き回して収納した際に、これらが弾性力で飛び出さないようにすることができる。
【００５１】
さらに、本出願は、２０１０年３月５日に出願された日本特許出願番号２０１０−０４９０６９号に基づいており、それらの開示内容は、参照され、全体として、組み入れられている。
【符号の説明】
【００５２】
１０、１００    医療用トレイ、
１１、１１１    底部、
１２、１１２    側壁、
１４、１１４    フランジ、
１５、１１５    突起部、
１７    くびれ部、
２０、２００    側壁変形案内部、
２１、２２１    側壁溝部、
２２、２２２    フランジ溝部、
２３    側壁上端凹部、
２２３    側壁上端段差部、
３０    リブ（折り畳み案内部）、
３１    底縁凹部（折り畳み案内部）、
３２    底縁段差部（折り畳み案内部）、
４０    テープ（折り畳み維持部）、
５０    稜状部、
６１    ドレープ、
６３    カテーテル、
Ｌ    側壁変形案内部を結ぶライン、
Ｓ    収納空間。
【図１】
2011108297.tif 000003
【図２】
2011108297.tif 000004
【図３】
2011108297.tif 000005
【図４】
2011108297.tif 000006
【図５】
2011108297.tif 000007
【図６】
2011108297.tif 000008
【図７】
2011108297.tif 000009
【図８Ａ】
2011108297.tif 000010
【図８Ｂ】
2011108297.tif 000011
【図８Ｃ】
2011108297.tif 000012
【図９Ａ】
2011108297.tif 000013
【図９Ｂ】
2011108297.tif 000014
【図１０】
2011108297.tif 000015
【図１１】
2011108297.tif 000016
【図１２】
2011108297.tif 000017
【図１３】
2011108297.tif 000018
【国際調査報告】
2011108297.tif 000019
2011108297.tif 000020
2011108297.tif 000021
2011108297.tif 000022